(57)【要約】【課題】  光ディスクへのアクセス性が良好で、消費電力を低減することができる光ディスク装置を提供する【解決手段】  光ピックアップ装置（５）は、光源（９）からの光束（１７）を光ディスク（１０）に集光させる対物レンズ（１１）と、光ディスクからの反射光に基づいて球面収差を検出する検出手段（１２）と、光路上に配置された補正レンズ（１４）及びこれを光束の方向に移動させる補正レンズ移動手段（１４ａ，１５）を有する球面収差補正手段（８）とを備え、補正レンズを移動させるための動力源（７）をベース（１）側に配置すると共に、光ピックアップ装置が特定の位置にある場合に動力源からの動力を移動手段に伝達する伝達手段（７ｂ，１５ｂ）を設け、この動力により、検出手段の検出結果に基づく位置に補正レンズを移動させるよう構成した。【選択図】      図１
2005339702.tif 000002
【特許請求の範囲】
【請求項１】
光ディスクを支持しこれを回転駆動する駆動手段を有するベースと、
前記光ディスクの径方向に移動し前記光ディスクに対して信号の記録または再生を行う光ピックアップ装置とを備えた光ディスク装置において、
前記光ピックアップ装置は、
光源と、前記光源からの光束を前記光ディスクに集光させる対物レンズと、前記光束の前記光ディスクからの反射光に基づいて球面収差を検出する検出手段と、前記光束の光路上に配置された補正レンズ及び該補正レンズを前記光束の方向に移動させる補正レンズ移動手段を有する球面収差補正手段とを備え、
前記補正レンズを移動させるための動力源を前記ベース側に配置すると共に、前記光ピックアップ装置が特定の位置にある場合に前記動力源からの動力を前記移動手段に伝達する伝達手段を設け、
前記動力により、前記検出手段の検出結果に基づく位置に前記補正レンズを移動させるよう構成して成ることを特徴とする光ディスク装置。
【発明の詳細な説明】
【技術分野】
【０００１】
本発明は、光ディスク装置に係り、特に、光ディスクに対して信号の記録または再生を行う際の球面収差を補正する機構に関する。
【背景技術】
【０００２】
光ディスクに対して信号の記録または再生を行う光ピックアップを搭載した光ディスク装置においては、高密度の信号を記録／再生するために、光源であるレーザの短波長化や対物レンズの高開口数化が図られている。
ところで、光ディスクにおいては、その保護層の厚みのばらつきに起因して生じる球面収差が、光ピックアップの対物レンズにおける開口数の４乗に比例して発生する。
そのため、高開口数の対物レンズほど球面収差は大きくなり、光ディスク装置としてこれを補正する必要が生じていた。
【０００３】
この球面収差の補正を、光ピックアップの光路中に配置した正レンズと負レンズとの少なくとも一方を、光軸に沿うように移動させて行う球面収差補正手段が考案されている（特許文献１参照）。
この球面収差補正手段は、アクチュエータ（駆動手段）のリードスクリューの回転運動を光軸方向の直線運動に変換する変換手段を備え、この変換手段を介して負レンズを光軸方向に移動させるものである。
【特許文献１】特開２００２−３３４４７６号公報
【発明の開示】
【発明が解決しようとする課題】
【０００４】
ところで、光ディスク装置においては、ディスクに対する信号の記録／再生のために、光ピックアップ装置の対物レンズをディスクの径方向に往復移動させる。
【０００５】
しかしながら、上述した光ピックアップ装置は、球面収差補正手段を一体的に搭載している。
即ち、移動する光ピックアップ装置に、球面収差補正手段とこれを駆動する駆動手段とを搭載してなるものである。
【０００６】
そのため、光ピックアップ装置が大型化すると共に重量が増加し、これを径方向に移動させる際に、高速で行うことが難しく、また、慣性により所望の位置に精度よく停止（移動）させることが難しいため、ディスクに対するアクセス性向上の妨げになっているという問題があった。
また、光ピックアップ装置を駆動する駆動源への負荷が大きくなり、光ディスク装置の省電力化が難しい、という問題があった。
これらの問題は、特に、ディスクを記録媒体としたビデオカメラ等の撮像装置にこの光ディスク装置を搭載する場合の障害となるものであった。
【０００７】
そこで、本発明が解決すべき課題は、球面収差補正手段を備えていても、光ディスクへのアクセス性が良好で、消費電力を低減することができる光ディスク装置を提供することにある。
【課題を解決するための手段】
【０００８】
上記の課題を解決するために、本願発明は手段として次の構成を有する。
即ち、請求項１に係る発明は、光ディスク（１０）を支持しこれを回転駆動する駆動手段（２）を有するベース（１）と、前記光ディスク（１０）の径方向に移動し前記光ディスク（１０）に対して信号の記録または再生を行う光ピックアップ装置（５）とを備えた光ディスク装置において、
前記光ピックアップ装置（５）は、光源（９）と、前記光源（９）からの光束（１７）を前記光ディスク（１０）に集光させる対物レンズ（１１）と、前記光束（１７）の前記光ディスク（１０）からの反射光に基づいて球面収差を検出する検出手段（１２）と、前記光束（１７）の光路上に配置された補正レンズ（１４）及び該補正レンズ（１４）を前記光束（１７）の方向に移動させる補正レンズ移動手段（１４ａ，１５）を有する球面収差補正手段（８）とを備え、前記補正レンズ（１４）を移動させるための動力源（７）を前記ベース（１）側に配置すると共に、前記光ピックアップ装置（５）が特定の位置にある場合に前記動力源（７）からの動力を前記移動手段（１４ａ，１５）に伝達する伝達手段（７ｂ，１５ｂ）を設け、前記動力により、前記検出手段（１２）の検出結果に基づく位置に前記補正レンズ（１４）を移動させるよう構成して成ることを特徴とする光ディスク装置（１００）である。
【発明の効果】
【０００９】
本発明によれば、優れたアクセス性が得られ、消費電力が低減できるという効果を奏する。
【発明を実施するための最良の形態】
【００１０】
本発明の実施の形態を、好ましい実施例により図１〜図４を用いて説明する。
図１は、本発明の光ディスク装置の実施例を示す平面図であり、
図２は、本発明の光ディスク装置の実施例における要部を示す平面図であり、
図３は、本発明の光ディスク装置の実施例における要部を説明する第１の図であり、
図４は、本発明の光ディスク装置の実施例における要部を説明する第２の図である。
【００１１】
まず、図１を用いて、実施例の光ディスク装置について説明する。
この実施例の光ディスク装置１００は、箱状のベース１と、回転中心３を有し、ディスク１０（当図には図示せず）をクランプして回転させるディスククランプ機構２と、光ピックアップ装置５とを有している。
【００１２】
光ピックアップ装置５は筐体５ａを有し、その筐体５ａが、ベース１に固定された一対の平行シャフト４，４に摺動支持されている。
そして、筐体５ａに設けられたリード噛合部５ｂが、第１のモータ６のリードスクリュ６ａに噛合してリードスクリュ６ａの回転に応じて径方向（矢印Ｄ１）に移動するよう構成されている。
また、ベース１には、光ピックアップ装置５に備えられた球面収差補正手段８（詳細は後述する）を駆動する第２のモータ７が取り付けられている。
【００１３】
次に、光ピックアップ装置５について図２を用いて詳述する。図２は理解容易のために、模式的に示している。
光ピックアップ装置５は、その筐体５ａに、光源９と、この光源９からの光束をディスク１０の面上に集光させる対物レンズ１１と、光源９と対物レンズ１１との間の光路上に配置された球面収差補正手段８と、ディスク１１からの反射光を検出して球面収差を検出する検出手段１２とを備えている。
【００１４】
球面収差補正手段８は、正レンズ１３及び負レンズ１４と、これらの光軸ＣＬ方向に配置されたリードスクリュ１５とを有している。
負レンズ１４は、それを保持する保持枠１４ａにリードスクリュ１５と噛合する噛合部１４ｂを有しており、リードスクリュ１５の回転に応じて負レンズ１４が光軸ＣＬ方向に移動するよう構成されている。
実施例では、負レンズ１４を移動させる例を示しているが、正レンズ１３を移動させるよう構成してもよい。
【００１５】
また、負レンズ１４の保持枠１４ａは、コイルバネ（付勢手段）１６によりリードスクリュ１５の軸方向（矢印Ｄ２）に付勢されバックラッシュによるガタが除去されている。
【００１６】
リードスクリュ１５は、その一端側に第２のモータ７の軸と連結するための連結部１５ｂが設けられている。
一方、第２のモータ７において、その軸７ａの先端側には、連結部１５ｂと凹凸の関係で係合する連結部７ｂが設けられている。
実施例では、第２のモータ７側の連結部７ｂを凸形状とし、リードスクリュー１５側の連結部１５ｂを凹形状としているが、この凹凸は逆であってもよい。
【００１７】
ところで、光ディスクにおける、上述した保護層の厚さのばらつきは、使用するディスク毎に異なり、一つのディスクにおける場所毎のばらつきは小さい。
従って、球面収差補正は、ディスクの交換した際、記録／再生動作の前に行い、同一ディスクにおいては常時補正を行う必要はない。
【００１８】
そこで、実施例では、装着したディスク１０への最初の動作において、光ピックアップ装置５をディスク１０の最外周近傍に位置させて球面収差補正動作を実行するように構成してある。
即ち、両連結部７ｂ，１５ｂは、光ピックアップ装置５がディスク１０の最外周近傍の調整領域Ｘ１〜Ｘ２に対応する位置にあるときに係合して連結する。
【００１９】
図２は、図１における光ピックアップ装置５が、当図の最も左側に移動した状態を示している。
この両連結部７ｂ，１５ｂが連結した状態で球面収差補正が行われる。
【００２０】
補正動作時には、対物レンズ１１からの出射光１７が、光ディスク１０の調整領域Ｘ１〜Ｘ２に入る位置に筐体５ａを移動させる。
そして、検出手段１２の検出結果において球面収差が最小となる位置に、負レンズ１４を移動し保持する。この移動は、第２のモータ７の回転により保持枠１４ａを介して行われる。
この時、上述したように、付勢手段１６の付勢により、保持枠１４ａのリードスクリュ１５に対するガタが除去されるので、負レンズ１４の位置がずれることはない。
【００２１】
次に、連結部７ｂ，１５ｂについて図３，図４を用いて詳述する。
＜凹凸の幅について＞
図３において、連結部１５ｂの凹部幅をａとし、連結部７ｂの凸部幅をｂとし、連結部７ｂ，１５ｂの各直径を等しくｃとした場合、ａ＞ｂとして回転方向にガタをもたせてある。
また、球面収差補正動作が終了した時点で、第２のモータ７を補正の最後に回転させた方向とは反対方向に回転角αだけ回転させるようにしてある。
この回転角αは、  α＜（ａ−ｂ）／πｃ  となるように設定される。
【００２２】
これにより、球面収差補正動作が終了し、ディスク１０に対する記録／再生動作のため筐体１が移動して連結部７ｂ，１５ｂの連結が一旦開放された後、再度補正のためにこれらを連結させる際に、両連結部の凹部と凸部とをスムーズに再係合させることができる。
【００２３】
＜凹凸の深さについて＞
上述した調整領域Ｘ１〜Ｘ２の幅をΔＸとし、図４に示すように、連結部１５ｂの凹部深さをｄとし、連結部７ｂの凸部深さ（高さ）をｅとした場合、ｄ＞ΔＸ，ｅ＞ΔＸとなるように設定してある。
これにより、球面収差補正動作において、光ピックアップ装置５がディスクの最外周近傍の調整領域Ｘ１〜Ｘ２に対応する位置にある場合には、必ず両連結部７ｂ，１５ｂは係合して連結されるので、補正動作が確実に行える。
【００２４】
以上、詳述した実施例によれば、球面収差補正手段を駆動する第２のモータを光ピックアップ装置にではなく、光ディスク装置本体の筐体に配置したので、光ピックアップ装置の小型化と軽量化が可能になる。
そのため、光ピックアップ装置を高速で移動させることができ、所望の位置に精度よく停止（移動）させることができ、ディスクに対するアクセス性が向上する。
また、光ピックアップ装置を駆動する駆動源への負荷が小さいので、光ディスク装置の消費電力を低減することができる。
従って、ディスクを記録媒体としたビデオカメラ等の撮像装置にこの光ディスク装置を搭載することが容易となる。
【００２５】
本発明の実施例は、上述した構成及び手順に限定されるものではなく、本発明の要旨を逸脱しない範囲において変形例としてもよいのは言うまでもない。
実施例は、球面収差補正動作をディスクの最外周近傍で行うものであるが、最内周近傍で行うように構成してもよい。この場合、第２のモータ７は図１，図２における右側に配置され、リードスクリュ１５の連結部１５ｂは、両図における右側端部に設けられる。
【図面の簡単な説明】
【００２６】
【図１】本発明の光ディスク装置の実施例を示す平面図である。
【図２】本発明の光ディスク装置の実施例における要部を示す平面図である。
【図３】本発明の光ディスク装置の実施例における要部を説明する第１の図である。
【図４】本発明の光ディスク装置の実施例における要部を説明する第２の図である。
【符号の説明】
【００２７】
１  ベース
２  ディスク駆動機構
３  回転中心
５  光ピックアップ装置
５ａ  筐体
５ｂ  リード噛合部
６  第１のモータ
６ａ  リードスクリュ
７  第２のモータ
７ａ  軸
７ｂ  連結部
８  球面収差補正手段
９  光源
１０  ディスク
１１  対物レンズ
１２  検出手段
１３  正レンズ
１４  負レンズ
１５  リードスクリュ
１５ｂ  連結部
１６  コイルバネ（付勢手段）
１７  光束，出射光
１００  光ディスク装置
【図１】
2005339702.tif 000003
【図２】
2005339702.tif 000004
【図３】
2005339702.tif 000005
【図４】
2005339702.tif 000006